(57)【特許請求の範囲】
【請求項１】
スパイラル状の記録トラックを有する光ディスク記録媒体に対する径方向の走査により光ピックアップが横切る記録トラックの数を計数するための計数装置であって、
第１の再生信号を入力し、当該第１の再生信号が第１の所定期間以上に亘り変化しない場合に上記第１の再生信号に補間パルスを追加して第１の補正再生信号を出力する第１の補正回路と、
第２の再生信号を入力し、当該第２の再生信号が第２の所定期間以上に亘り変化しない場合に上記第２の再生信号に補間パルスを追加して第２の補正再生信号を出力する第２の補正回路と、
上記第１の補正再生信号と上記第２の補正再生信号との位相を比較してその位相差に応じた計数制御信号を出力する位相比較回路と、
上記計数制御信号に応答してカウントアップ動作又はカウントダウン動作を行なって光ピックアップが横切った記録トラックの数を計数する計数回路と、
を有する計数装置。
【請求項２】
上記第１又は第２の補正回路からそれぞれ供給される補間パルスの追加を示す第１又は第２のパルス補間信号が供給されると、そのときの上記計数制御信号の状態に応じて上記計数回路の計数値に対する補正値の加算又は減算の指示を行なって上記計数値を補正する補正制御回路を有する
請求項１に記載の計数装置。
【請求項３】
上記第１及び第２の補正回路が、上記第１及び第２の再生信号における第３及び第４の所定期間内のパルス変化を除去する機能をそれぞれ有する
請求項１又は２に記載の計数装置。
【請求項４】
上記第１及び第２の所定期間が光ピックアップの光ディスク記録媒体に対する走査速度に応じて制御される
請求項１又は２に記載の計数装置。
【請求項５】
上記第１、第２、第３及び第４の所定期間が光ピックアップの光ディスク記録媒体に対する走査速度に応じて制御される
請求項３に記載の計数装置。
【請求項６】
上記第１の再生信号がトラッキング制御用の差信号を２値化した信号であり、上記第２の再生信号がトラッキング制御用の和信号を２値化した信号である
請求項１、２、３、４又は５に記載の計数装置。
【請求項７】
上記計数回路の計数動作が、光ピップアップの走査方向が光ディスク記録媒体の中心方向であるときにカウントアップ又はカウントダウンであり、光ピップアップの走査方向が光ディスク記録媒体の外周方向であるときにカウントダウン又はカウントアップである
請求項１、２、３、４、５又は６に記載の計数装置。
【発明の詳細な説明】
【０００１】
【発明の属する技術分野】
本発明は、例えば、コンパクトディスク（ＣＤ）およびディジタルビデオディスク（ＤＶＤ）等のランダムアクセス可能な光学式ディスク記録媒体に対するシーク動作の際に、これらの光学式ディスク記録媒体を径方向に走査して得られる再生信号（和信号および差信号）に基づいて、記録トラックのトラック数をカウント（計数）する計数装置に関する。
【０００２】
【従来の技術および発明が解決しようとする課題】
ＣＤおよびＤＶＤ等のランダムアクセス可能な光学式ディスク記録媒体からデータを再生するディスク再生装置においては、４分割型の光学式ピックアップの対角線のペア同士の出力信号を比較してトラッキングエラー信号（以下、「差信号」と記す）を生成する位相差検出法が用いられる。
また、このようなディスク再生装置においては、記録媒体を径方向に走査して得られる再生信号に含まれるパルスを、走査方向に応じてカウントアップまたはカウントダウンして横切ったトラックの数を計数（カウント）し、目的のデータが記録されているトラックにアクセスする方法が採られる。
【０００３】
しかしながら、目的のデータをアクセスする際に、偶然に上記記録媒体のトラックのピットの間あるいはピットが存在しない領域を走査した場合には、再生信号のパルスが欠落してしまう。このような場合、何らの手当ても施さなければトラック数の計数値に誤差が生じてしまう。トラック数の計数値の誤差が大きい場合にはさらに、トラックに記録されたトラック番号を読み出しながらアクセスを行う必要が生じ、余計な時間がかかってしまう。
【０００４】
本発明は上述した従来技術の問題点に鑑みてなされたものであり、ＣＤあるいはＤＶＤ等の光学式ディスク記録媒体に記録されたデータをアクセスする際に光学式ディスク記録媒体を径方向に走査して得られる再生信号に含まれ、走査中に横切ったトラックに対応するパルスを計数するときに、その再生信号中にパルスが欠落した場合であっても、トラック数の計数値を補正して、ほぼ正しいトラック数の計数値を得ることができる計数装置を提供することを目的とする。
また、本発明は、トラック数の計数値を、欠落した再生信号のパルスに対応する分だけ補正して、光学式ディスク記録媒体上の目的のデータ（トラック）に対する迅速なアクセスを可能とする計数装置を提供することを目的とする。
【０００５】
【課題を解決するための手段】
上記目的を達成するために、本発明の計数装置は、スパイラル状の記録トラックを有する光ディスク記録媒体に対する径方向の走査により光ピックアップが横切る記録トラックの数を計数するための計数装置であって、第１の再生信号を入力し、当該第１の再生信号が第１の所定期間以上に亘り変化しない場合に上記第１の再生信号に補間パルスを追加して第１の補正再生信号を出力する第１の補正回路と、第２の再生信号を入力し、当該第２の再生信号が第２の所定期間以上に亘り変化しない場合に上記第２の再生信号に補間パルスを追加して第２の補正再生信号を出力する第２の補正回路と、上記第１の補正再生信号と上記第２の補正再生信号との位相を比較してその位相差に応じた計数制御信号を出力する位相比較回路と、上記計数制御信号に応答してカウントアップ動作又はカウントダウン動作を行なって光ピックアップが横切った記録トラックの数を計数する計数回路とを有する。
【０００６】
また、好適には、本発明の計数装置は、上記第１又は第２の補正回路からそれぞれ供給される補間パルスの追加を示す第１又は第２のパルス補間信号が供給されると、そのときの上記計数制御信号の状態に応じて上記計数回路の計数値に対する補正値の加算又は減算の指示を行なって上記計数値を補正する補正制御回路を有する。
【０００７】
また、好適には、上記第１及び第２の補正回路が、上記第１及び第２の再生信号における第３及び第４の所定期間内のパルス変化を除去する機能をそれぞれ有し、上記第１、第２、第３及び第４の所定期間が光ピックアップの光ディスク記録媒体に対する走査速度に応じて制御される。
【０００８】
本発明に係る計数装置は、例えば、ＣＤあるいはＤＶＤ等の円周方向にスパイラル状に形成されたトラックが設けられた光学式ディスク記録媒体からデータを再生するディスク再生装置において、これらの記録媒体に記録されたデータに対してアクセスを行う際のトラックの数の計数のために、トラックに対応し、光学式ピックアップで記録媒体を径方向の走査して得られる再生信号に含まれるパルスを処理する。
【０００９】
なお、トラックの数の計数には、４分割型の光学式ピックアップの４つの受光素子それぞれが検出した再生信号から生成される差信号、および、この差信号に対して一般に和信号と呼ばれる信号を２値化したパルス（第１の再生信号および第２の再生信号）が用いられ、例えば、記録媒体を径方向に内側に向かって走査して得られる差信号の位相はシステム構成に応じて、例えば、同様にして得られる和信号に対して９０°遅れ（−９０°）、外側に向かって走査して得られる差信号の位相は和信号に対して９０°進む（＋９０°）という性質を有する。
【００１０】
アップ／ダウン計数手段は、そのシステムがホームポジションを光学式ディスク記録媒体の外側に置くか内側に置くかに応じて、例えば、２値化した差信号（以下、単に「差信号」と記す）の立ち上がり点で、２値化した和信号（以下、単に「和信号」と記す）が論理値１である場合にトラック数の計数値をインクリメント（カウントアップ）し、論理値０である場合に計数値をデクリメント（カウントダウン）することにより、光学式ディスク記録媒体に対する径方向の走査の方向に応じて、走査開始後に横切ったトラックの数をカウント（計数）する。
【００１１】
アップ／ダウン状態保持手段は、アップ／ダウン計数手段が、最後の計数において、カウントアップを行ったかカウントダウンを行ったかを示す状態を保持する。
欠落検出手段は、例えば、差信号（和信号）のパルスの立ち上がり点から所定の時間内に次の立ち上がり点が生じない場合に、差信号（和信号）のパルスが本来あるべき位置に存在しない（欠落した）と判定することにより、光ピックアップがトラック上のピットの間を横切った等の理由による差信号（和信号）のパルスの欠落を検出する。
【００１２】
ここで、差信号（和信号）のパルスが欠落しなかったと仮定した場合に、アップ／ダウン計数手段が本来、行うトラックの数の計数の種類（カウントアップであるかカウントダウンであるか）は、殆どの場合、直前の計数の種類と同じであると考えられる。
計数値補正手段は、欠落検出手段が差信号（和信号）の欠落を検出した場合に、アップ／ダウン状態保持手段が保持した状態がカウントアップを示す場合には、アップ／ダウン計数手段の計数値に所定数を加算し、カウントダウンを示す場合には、アップ／ダウン計数手段の計数値から所定数を減算して、トラック数の計数値を補正する。
【００１３】
【発明の実施の形態】
第１実施形態
以下、本発明の第１の実施形態を説明する。
図１は、音声・映像用のディスク再生装置１の構成を示す図である。なお、図示の簡略化のため、図１においては、本発明の説明に直接関係ない構成部分は適宜、省略されている。
【００１４】
図１に示すように、ディスク再生装置１は、スピンドルモータ１０２、光学式ピックアップ（ＰＵ）１０４、フォーカスサーボ回路（ＦＳ）１０６、トラッキングサーボ回路（ＴＳ）１０８、回転サーボ回路（ＲＳ）１１０、プリアンプ・マトリクス部（ＰＭ）１１２、音声再生系１１４、映像再生系１１６、制御回路（ＣＰＵ）１１８およびトラック計数部８から構成されており、ディスク再生装置１が、コンピュータ用データの再生用である場合には、音声再生系１１４および映像再生系１１６はデータ再生系に置換される。
【００１５】
ディスク再生装置１は、これらの構成部分により、円周方向にスパイラル状に設けられた記録トラックを有し、この記録トラックに音声データおよび映像データまたはこれらのいずれか（音声・映像データ）がピットの形で記録されたコンパクトディスク（ＣＤ）あるいはディジタルビデオディスク等の光学式ディスク記録媒体１００に対してランダムアクセスを行い、任意の音声・映像データを再生する。
【００１６】
ディスク再生装置１の構成部分
以下、さらに図２および図３を参照して、ディスク再生装置１の各構成部分を説明する。
制御回路１１８
ディスク再生装置１において、制御回路１１８は、ディスク再生装置１の利用者が入力する操作データ、トラック計数部８から入力される記録媒体１００のトラック数の計数値ＴＣ等に基づいて、ディスク再生装置１の各構成部分の動作を制御するとともに、再生信号ＲＦのノイズの大きさ、和信号（ＴＲＩＮ）および差信号（ＴＲＲＥＦ）の周期に応じた分周比で分周したクロック信号をトラック計数部８に対して出力する。
【００１７】
スピンドルモータ１０２
スピンドルモータ１０２は、回転サーボ回路１１０のサーボ制御に従って記録媒体１００を回転させる。
光学式ピックアップ１０４
光学式ピックアップ１０４は、４分割型の光検出器（フォトディテクタ）を有し、トラッキングサーボ回路１０８のサーボ制御に従って記録媒体１００の径方向に移動してトラックをトレースし、さらに、フォーカスサーボ回路１０６のサーボ制御に従って記録媒体１００にレーザー光線を照射し、さらに、記録媒体１００にて反射したレーザー光線を４分割型の光検出器で検出して４つの再生信号ＲＦを生成し、プリアンプ・マトリクス部１１２に対して出力する。
【００１８】
プリアンプ・マトリクス部１１２
プリアンプ・マトリクス部１１２は、光学式ピックアップ１０４の４分割型光検出器の４つの再生信号ＲＦを増幅し、等化処理する。さらに、プリアンプ・マトリクス部１１２は、４分割型光検出器の対角線上の２対の光検出器の再生信号の加算値同士の差分を２値化して差信号（誤差信号）を生成し、４分割型光検出器の再生信号の加算値を２値化して和信号（誤差信号）を生成する。この差信号および和信号には、それぞれフォーカス制御用のものとトラッキング制御用のものとがあり、フォーカスサーボ回路１０６にはフォーカス制御用の差信号および和信号が供給され、トラッキングサーボ回路１０８およびトラック計数部８にはトラッキング用の差信号および和信号が供給される。
【００１９】
図２は、図１に示したプリアンプ・マトリクス部１１２が生成するトラッキング制御用の差信号（ＴＲＲＥＦ）および和信号（ＴＲＩＮ）の２値化された信号（パルス）を示す図であって、（Ａ）は差信号（ＴＲＲＥＦ）のパルスを示し、（Ｂ）は和信号（ＴＲＩＮ）のパルスを示す。以下、これらのパルスを単に差信号、和信号と記することがある。
図２（Ａ），（Ｂ）に示すように、光学式ピックアップ１０４が記録媒体１００を径方向に外側に向かって走査する範囲ｂにおいては、差信号は和信号よりも位相が９０°進む（＋９０°）。ここで、例えば、光学式ピックアップ１０４の走査方向が位置ａで反転し、記録媒体１００の内側に向かって走査する範囲ｂにおいては、差信号は和信号よりも位相が９０°遅れる（−９０°）。
【００２０】
フォーカスサーボ回路１０６
フォーカスサーボ回路１０６は、プリアンプ・マトリクス部１１２から入力されるフォーカス制御用の差信号および和信号に基づいて、光学式ピックアップ１０４に対するフォーカスサーボ制御を行う。
トラッキングサーボ回路１０８
トラッキングサーボ回路１０８は、プリアンプ・マトリクス部１１２から入力されるトラッキング制御用の差信号および和信号に基づいて、光学式ピックアップ１０４に対するトラッキングサーボ制御を行う。
回転サーボ回路１１０
回転サーボ回路１１０は、映像再生系１１６から入力される同期信号に基づいて、スピンドルモータ１０２に対する回転サーボ制御を行う。
【００２１】
音声再生系１１４
音声再生系１１４は、プリアンプ・マトリクス部１１２から入力される再生信号から音声データを再生し、外部に供給する。
映像再生系１１６
映像再生系１１６は、プリアンプ・マトリクス部１１２から入力される再生信号から映像データを再生し、外部に供給するとともに、映像データに同期した同期信号を回転サーボ回路１１０に対して出力する。
【００２２】
トラック計数部８
図３は、図１に示したトラック計数部８の構成を示す図である。
図３に示すように、トラック計数部８は、ノイズ除去回路８０、パルス抜け検出回路８２およびアップ／ダウンカウンタ回路（ＵＤＣ）８４から構成される。
トラック計数部８は、これらの構成部分により、光学式ピックアップ１０４が記録媒体１００に記録されたデータにアクセスするために記録媒体１００の径方向に移動（走査）し、トラックを横切る際に生成した４つの再生信号から生成されるトラッキング制御用の差信号（ＴＲＲＥＦ）および和信号（ＴＲＩＮ）のパルスを処理することにより、光学式ピックアップ１０４が横切ったトラック数を計数し、制御回路１１８に対して出力する。
【００２３】
ノイズ除去回路８０
トラック計数部８において、ノイズ除去回路８０は、プリアンプ・マトリクス部１１２から入力される差信号（ＴＲＲＥＦ）および和信号（ＴＲＩＮ）のノイズを除去してパルス抜け検出回路８２に出力する。
パルス抜け検出回路８２
パルス抜け検出回路８２は、制御回路１１８から入力されるクロック信号ＣＬＫを用いて、例えば、差信号の立ち上がり点から所定の時間内に次の差信号の立ち上がりが生じない場合に差信号のパルスの抜け（欠落）を検出して補正パルスを発生し、アップ／ダウンカウンタ回路８４に対して出力する。
【００２４】
アップ／ダウンカウンタ回路８４
アップ／ダウンカウンタ回路８４は、差信号またはパルス抜け検出回路（カウンタ制御回路）８２から入力される補正パルスの立ち上がり点で和信号が論理値１である場合に計数値ＴＣをインクリメント（カウントアップ）し、和信号が論理値０である場合に計数値ＴＣをデクリメント（カウントダウン）することにより、光学式ピックアップ１０４が横切ったトラックの数を計数（カウント）し、計数値ＴＣを制御回路１１８に対して出力する。
【００２５】
ディスク再生装置１の動作
以下、図４をさらに参照して、第１の実施形態としてのディスク再生装置１の動作を説明する。
ディスク再生装置１（図１）の利用者が記録媒体１００を装荷し、記録媒体１００に記録された音声・映像データの再生および再生する部分を指定する操作を行うと、制御回路１１８は、利用者の操作に応じて、回転サーボ回路１１０を制御してスピンドルモータ１０２を回転させ、フォーカスサーボ回路１０６およびトラッキングサーボ回路１０８を制御して光学式ピックアップ１０４に対するフォーカスサーボ制御およびトラッキングサーボ制御を行わせる。
【００２６】
光学式ピックアップ１０４がトラッキングサーボ回路１０８のサーボ制御に従って、目的の音声・映像データが記録されているトラックにアクセスするために記録媒体１００を、例えば径方向の内側に向かって走査すると、プリアンプ・マトリクス部１１２は、光学式ピックアップ１０４が検出した４つの再生信号からトラッキング制御用の差信号および和信号〔ＴＲＲＥＦ，ＴＲＩＮ；図２（Ａ），（Ｂ）の範囲ｃ〕を生成し、トラック計数部８に対して出力する。
【００２７】
トラック計数部８のノイズ除去回路８０（図３）は、プリアンプ・マトリクス部１１２から入力された差信号（ＴＲＲＥＦ）および和信号（ＴＲＩＮ）に含まれるノイズを除去する。
【００２８】
図４（Ａ）〜（Ｄ）は、図３に示したトラック計数部８のパルス抜け検出回路８２の動作を例示するタイミングチャート図であって、（Ａ）は位置ｂでパルスが欠落した差信号（ＴＲＲＥＦ）を示し、（Ｂ）は和信号（ＴＲＩＮ）を示し、（Ｃ）は、差信号（ＴＲＲＥＦ）パルス抜け検出信号を示し、（Ｄ）は差信号（ＴＲＲＥＦ）補正パルスを示す。
【００２９】
パルス抜け検出回路８２は、例えば、図４（Ａ）に示すように、位置ａで差信号（ＴＲＲＥＦ）の立ち上がり点を検出した後、一定の時間が経過しても差信号（ＴＲＲＥＦ）に次の立ち上がり点が生じない場合に、差信号（ＴＲＲＥＦ）のパルスが欠落したと判定し、図４（Ｃ）に示すタイミングで差信号（ＴＲＲＥＦ）パルス抜け信号を論理値１とする。
さらに、パルス抜け検出回路８２は、図４（Ｄ）に示すように、差信号（ＴＲＲＥＦ）補正パルスを発生し、アップ／ダウンカウンタ回路８４に対して出力する。
【００３０】
アップ／ダウンカウンタ回路８４は、差信号（ＴＲＲＥＦ）またはカウンタ制御回路８２から入力される補正パルス〔図４（Ｄ）〕の立ち上がり点で和信号が論理値１である場合に計数値ＴＣをカウントアップし〔図４（Ａ）の位置ａ，ｃ〕、和信号（ＴＲＩＮ）が論理値０である場合に計数値ＴＣをカウントダウンし〔図４（Ａ）の位置ｄ〕、光学式ピックアップ１０４が横切ったトラックの数をカウントし、その計数値ＴＣを制御回路１１８に対して出力する。なお以上、トラック計数部８の動作について光学式ピックアップ１０４を記録媒体１００の内側に移動させる場合を例に説明したが、光学式ピックアップ１０４を記録媒体１００の外側に移動させる場合のトラック計数部８の動作も同様である。
【００３１】
制御回路１１８（図１）は、アップ／ダウンカウンタ回路８４から入力されるトラック数の計数値ＴＣに基づいて、光学式ピックアップ１０４が目的の音声・映像データが記録されているトラックに達したか否かを判断し、目的の音声・映像データが記録されているトラックに達したと判断した場合、トラッキングサーボ回路１０８を制御して光学式ピックアップ１０４の径方向の移動を止めてトラック番号を読み出す。
【００３２】
読み出したトラック番号が目的のトラックを示していない場合、制御回路１１８は、トラッキングサーボ回路１０８を制御して目的のトラックが存在する方向に光学式ピックアップ１０４を移動させ、目的のトラックに達したか否かの判断、および、読み出したトラック番号の検査を、光学式ピックアップ１０４が目的のトラックに実際に達するまで繰り返す。
【００３３】
読み出したトラック番号が目的の音声・映像データが記録されているトラックを示している場合、制御回路１１８は、音声再生系１１４および映像再生系１１６を制御して、プリアンプ・マトリクス部１１２が出力する再生信号から音声データおよび映像データを再生させる。
【００３４】
第２実施形態
第１の実施形態において示したトラック計数部８（図１，図３）によれば、光学式ピックアップ１０４の移動（走査）方向に応じた差信号（ＴＲＲＥＦ）および和信号（ＴＲＩＮ）の位相差の変化を利用して、光学式ピックアップ１０４が走査中に横切った記録媒体１００のトラック数をカウントすることができる。
また、トラック計数部８においては、パルス抜け検出回路８２が差信号（ＴＲＲＥＦ）の欠落を検出し、補正パルスを発生することにより、アップ／ダウンカウンタ回路８４の計数値ＴＣを補正することができる。
【００３５】
しかしながら、カウンタ制御回路８２は、差信号（ＴＲＲＥＦ）の立ち上がり点の間隔の時間予測によりパルスの欠落を検出し、補正パルスの発生を行うので、欠落がない場合の差信号（ＴＲＲＥＦ）と補正パルスとの位相が一致しないことがある。例えば、図４（Ａ）に点線で示すように、差信号（ＴＲＲＥＦ）のパルスの欠落がなかった場合に、アップ／ダウンカウンタ回路８４は、本来、位置ｂの立ち上がりタイミングで和信号（ＴＲＩＮ）をサンプリングするのが正常であるにもかかわらず、実際には図４（Ｂ）の位置ｄの補正パルスの立ち上がり点でサンプリングしてしまい、この結果、アップ／ダウンカウンタ回路８４は、本来カウントアップすべきなのに、実際には誤ってカウントダウンしてしまう。
【００３６】
第２の実施形態として示すトラック計数部２（図５等を参照して後述）は、ディスク再生装置１（図１）において、図１に括弧を付して示したようにトラック計数部８（図１，図３）の代わりに用いられ、上述したトラック計数部８の不具合を解消しうるように構成されている。
【００３７】
トラック計数部２
図５は、本発明にかかるトラック計数部２の構成を示す図である。
図５に示すように、トラック計数部２は、ノイズ除去・エッジ検出回路２０，２２、パルス抜け検出回路２４、カウント補正制御回路２６、位相比較回路２８、状態保持回路（ｕｐ／ｄｏｗｎ）３０およびトラックカウンタ３２から構成される。
【００３８】
トラック計数部２は、これらの構成部分により、トラック計数部８（図１，図３）と同様に、制御回路１１８から出力される制御信号ＴＳＦＬに基づいて、光学式ピックアップ１０４（図１）が記録媒体１００に記録されたデータにアクセスするために記録媒体１００を径方向に走査し、トラックを横切る際に生成した４つの再生信号から生成されるトラッキング制御用の差信号（ＴＲＲＥＦ）および和信号（ＴＲＩＮ）のパルスを処理することにより、光学式ピックアップ１０４が横切ったトラック数を計数するとともに、差信号（ＴＲＲＥＦ）および和信号（ＴＲＩＮ）またはこれらのいずれかに生じるパルスの欠落に起因する計数値ＴＣの誤差を補正し、制御回路１１８に対して出力する。
【００３９】
トラック計数部２の構成部分
以下、トラック計数部２の各構成部分を説明する。
ノイズ除去・エッジ検出回路２０，２２
図６は、図５に示したトラック計数部２のノイズ除去・エッジ検出回路２０，２２の構成を示す図である。
図６に示すように、ノイズ除去・エッジ検出回路２０，２２は同一構成であって、それぞれエッジ検出回路２００、パルス補正タイマ２０２、パルス補正レジスタ（ＴＩＮＰＣ）２０４、コンパレータ（ＣＭＰ）２０６，２１０、マスクレジスタ（ＴＩＮＭＳＫ）２０８およびパルス補正回路２１２から構成される。
【００４０】
ノイズ除去・エッジ検出回路２０，２２はそれぞれ、これらの構成部分により、プリアンプ・マトリクス部１１２から入力される和信号（ＴＲＩＮ）および差信号（ＴＲＲＥＦ）に含まれるノイズを除去し、これらの信号におけるパルス抜けを検出する。
【００４１】
図７は、図６に示したノイズ除去・エッジ検出回路２０，２２のエッジ検出回路２００の動作を示すタイミングチャート図であって、（Ａ）は制御回路１１８から入力されるクロック信号ＣＬＫを示し、（Ｂ）は比較的短時間幅のノイズが含まれる論理値０から論理値１に変化する差信号（ＴＲＲＥＦ）または和信号（ＴＲＩＮ）を示し、（Ｃ）はエッジ検出回路２００による比較的短時間幅のノイズ除去後の論理値０から論理値１に変化する差信号（ＴＲＲＥＦ）または和信号（ＴＲＩＮ）を示し、（Ｄ）はエッジ検出回路２００が出力する差信号（ＴＲＲＥＦ）または和信号（ＴＲＩＮ）の立ち上がりエッジ検出パルスを示し、（Ｅ）は比較的短時間幅のノイズが含まれる論理値１から論理値０に変化する差信号（ＴＲＲＥＦ）または和信号（ＴＲＩＮ）を示し、（Ｆ）はエッジ検出回路２００による比較的短時間幅のノイズ除去後の論理値１から論理値０に変化する差信号（ＴＲＲＥＦ）または和信号（ＴＲＩＮ）を示し、（Ｇ）はエッジ検出回路２００が出力する差信号（ＴＲＲＥＦ）または和信号（ＴＲＩＮ）の立ち下がりエッジ検出パルスを示す。
【００４２】
エッジ検出回路２００
ノイズ除去・エッジ検出回路２０（２２）において、エッジ検出回路２００は、図７（Ａ）に示すクロック信号ＣＬＫに同期して和信号（ＴＲＩＮ）〔差信号（ＴＲＲＥＦ）〕を取り込み、図７（Ｂ），（Ｃ）および図７（Ｅ），（Ｆ）にそれぞれ示すように、プリアンプ・マトリクス部１１２から入力される和信号（ＴＲＩＮ）〔差信号（ＴＲＲＥＦ）〕の状態が、例えばクロック信号ＣＬＫ、３周期分連続した場合に和信号（ＴＲＩＮ）〔差信号（ＴＲＲＥＦ）〕のパルスに立ち上がり点または立ち下がり点が発生したと判定し、比較的短時間幅のノイズを除去してパルス補正回路２１２に対して出力する。
【００４３】
さらに、エッジ検出回路２００は、図７（Ｄ）および図７（Ｇ）にそれぞれ示すように、ノイズ除去後の和信号（ＴＲＩＮ）〔差信号（ＴＲＲＥＦ）〕の立ち上がりエッジおよび立ち下がりエッジを検出し、エッジ検出パルスをパルス補正タイマ２０２およびパルス補正回路２１２に対して出力する。
【００４４】
パルス補正レジスタ２０４
パルス補正レジスタ２０４は、例えば、制御回路１１８（図１）により設定されるパルス補正設定値を保持し、コンパレータ２０６に対して出力する。このパルス補正設定値は、光学式ピックアップ１０４がトラックを横切る際の速度に応じて、制御回路１１８により、随時変更される。
マスクレジスタ２０８
マスクレジスタ２０８は、例えば、制御回路１１８により設定されるマスク設定値（＜パルス補正設定値）を保持し、コンパレータ２１０に対して出力する。
【００４５】
パルス補正タイマ２０２
図８は、図６に示すノイズ除去・エッジ検出回路２０（２２）のパルス補正タイマ２０２、コンパレータ２０６，２１０およびパルス補正回路２１２の動作を例示するタイミングチャート図であって、（Ａ）はエッジ検出回路２００が出力する比較的短時間幅のノイズが除去された後の和信号（ＴＲＩＮ）（但し、比較的長時間幅のノイズは含む）〔差信号（ＴＲＲＥＦ）〕を示し、（Ｂ）はパルス補正タイマ２０２の計数値とパルス補正レジスタ２０４に設定されているパルス補正設定値およびマスクレジスタ２０８に設定されているマスク設定値との関係を示す図であり、（Ｃ）はコンパレータ２１０が出力するマスク信号を示し、（Ｄ）は（Ｃ）に示したマスク信号により除去される和信号（ＴＲＩＮ）〔差信号（ＴＲＲＥＦ）〕のエッジを示し、（Ｅ）はコンパレータ２０６が生成するパルス生成信号を示し、（Ｆ）はパルス補正回路２１２が出力する補正後の和信号（ＴＲＩＮ）〔差信号（ＴＲＲＥＦ）〕を示す。
【００４６】
パルス補正タイマ２０２は、図８（Ｂ）の実線に示すように、クロック信号ＣＬＫをカウントアップし、計数値をコンパレータ２０６およびコンパレータ２１０に対して出力するとともに、和信号ＴＲＩＮのパルス抜けを検出してパルス抜け信号を生成し、パルス抜け検出回路２４に対して出力する。なお、例えば、パルス補正タイマ２０２の計数値は、図８（Ａ），（Ｂ），（Ｄ）に示すように、コンパレータ２１０から出力されるマスク信号が論理値０のときのエッジ検出回路２００が出力するエッジ検出信号の立ち上がり点および立ち下がり点でリセット（ゼロクリア）されると共に、コンパレータ２０６から出力されるパルス生成信号によりリセットされる。このパルス生成信号に応答して、パルス補正タイマ２０２はパルス抜け信号を出力する。
コンパレータ２０６
コンパレータ２０６は、図８（Ｅ）に示すように、パルス補正タイマ２０２の計数値とパルス補正レジスタ２０４に設定されたパルス補正設定値とを比較し、パルス補正タイマ２０２の計数値がパルス補正設定値よりも大きくなった時点でパルス生成信号を活性化（論理値１に）して、パルス補正回路２１２に対して出力する。
【００４７】
コンパレータ２１０
コンパレータ２１０は、図８（Ｃ）に示すように、パルス補正タイマ２０２の計数値とマスクレジスタ２０８に設定されたマスク設定値とを比較し、パルス補正タイマ２０２の計数値がマスク設定値よりも小さい場合にマスク信号を活性化（論理値１に）し、パルス補正回路２１２に対して出力する。
【００４８】
パルス補正回路２１２
パルス補正回路２１２は、コンパレータ２１０から入力されるマスク信号が活性化している場合には、エッジ検出回路２００から入力されるノイズ除去後の和信号（ＴＲＩＮ）〔差信号（ＴＲＲＥＦ）〕の論理値を変更せずに出力して比較的時間幅が長いノイズを除去する。また、パルス補正回路２１２は、コンパレータ２０６から入力されるパルス生成信号が活性化している場合には、エッジ検出回路２００から入力されるノイズ除去後の和信号（ＴＲＩＮ）〔差信号（ＴＲＲＥＦ）〕に対して補正パルスを付加する。このように、図８（Ｆ）に示すようにパルス補正回路２１２により比較的長時間幅のノイズが除去され、補正パルスが付加された和信号（ＴＲＩＮ）〔差信号（ＴＲＲＥＦ）〕が、位相比較回路２８（図５）に対して出力される。
【００４９】
位相比較回路２８
図９は、図５に示した位相比較回路２８の動作を示す図であって、（Ａ）は制御信号ＴＳＦＬが論理値０である場合のサンプリング点を示し、（Ｂ）は制御信号ＴＳＦＬが論理値１である場合のサンプリング点を示し、（Ｃ）は和信号（ＴＲＩＮ）を示す。
【００５０】
位相比較回路２８（図５）は、図９（Ａ），（Ｂ）に示すように、制御回路１１８から入力される制御信号ＴＳＦＬが論理値０である場合には、図９（Ｃ）に示すようにノイズ除去・エッジ検出回路２２から入力される差信号（ＴＲＲＥＦ）の立ち上がり点でノイズ除去・エッジ検出回路２０から入力される和信号（ＴＲＩＮ）をサンプリングし、差信号（ＴＲＲＥＦ）の立ち上がり点で和信号（ＴＲＩＮ）が論理値１である場合にはカウントアップ信号（ｕｐ）を活性化し、差信号（ＴＲＲＥＦ）の立ち上がり点で和信号（ＴＲＩＮ）が論理値０である場合にはカウントダウン信号（ｄｏｗｎ）を活性化する。
【００５１】
一方、制御信号ＴＳＦＬが論理値１である場合には差信号（ＴＲＲＥＦ）の立ち下がり点で和信号（ＴＲＩＮ）をサンプリングし、差信号（ＴＲＲＥＦ）の立ち下がり点で和信号（ＴＲＩＮ）が論理値１である場合にはカウントダウン信号（ｄｏｗｎ）を活性化し、差信号（ＴＲＲＥＦ）の立ち上がり点で和信号（ＴＲＩＮ）が論理値０である場合にはカウントアップ信号（ｕｐ）を活性化してトラックカウンタ３２および状態保持回路３０に対して出力する。なお以下、制御信号ＴＳＦＬが論理値０である場合について説明を行う。
【００５２】
状態保持回路３０
状態保持回路３０は、位相比較回路２８から入力されるカウントアップ信号またはカウントダウン信号が活性化するたびにその論理値を保持し、カウント補正制御回路２６に対して、トラックカウンタ３２が直前の差信号（ＴＲＲＥＦ）の立ち上がり点でカウントアップしたかカウントダウンしたかを示す信号を出力する。また、上記状態は、カウンタ補正制御回路２６から出力されるカウンタ補正信号に応じて変化する。
【００５３】
トラックカウンタ３２
トラックカウンタ３２は、位相比較回路２８から入力されるカウントアップ信号が活性化した場合には、トラック計数値ＴＣをインクリメント（カウントアップ）し、カウントダウン信号が活性化した場合には、トラック計数値ＴＣをデクリメント（カウントダウン）するとともに、カウント補正制御回路２６から入力されるカウント補正信号（ｕｐ／ｄｏｗｎ）を介した制御に従ってトラック計数値ＴＣを補正し、制御回路１１８に対して出力する。
【００５４】
パルス抜け検出回路２４およびカウント補正制御回路２６
以下、図１０に示すように和信号（ＴＲＩＮ）にのみパルス抜けが生じた場合を具体例として、パルス抜け検出回路２４およびカウント補正制御回路２６の動作を説明する。
図１０は、図５に示したカウント補正制御回路２６の動作を例示するタイミングチャート図であって、（Ａ）はトラック計数部２に入力される差信号（ＴＲＲＥＦ）を示し、（Ｂ）はパルス抜けが生じたトラック計数部２に入力される和信号（ＴＲＩＮ）を示し、（Ｃ）はノイズ除去・エッジ検出回路２０，２２のパルス補正タイマ２０２が生成するパルス抜け信号を示し、（Ｄ）はパルス抜け検出回路２４の補正パルスを示し、（Ｅ）はトラックカウンタ３２の実際の計数値ＴＣを示し、（Ｆ）はパルス抜けが生じなかった場合のトラックカウンタ３２の計数値ＴＣを示す。
【００５５】
パルス抜け検出回路２４
パルス抜け検出回路２４は、ノイズ除去・エッジ検出回路２０，２２のパルス補正タイマ２０２から入力されるパルス抜け信号に基づいて、図１０（Ｄ）に示す補正パルスを発生してカウント補正制御回路２６に対して出力する。尚、この補正パルスには、差信号用のものと和信号用のものの２つが存在する。
カウント補正制御回路２６
図１０（Ａ）に示すようにプリアンプ・マトリクス部１１２（図１）からトラック計数部２入力される差信号（ＴＲＲＥＦ）のパルスに欠落がなく、図１０（Ｂ）に点線で示すように和信号（ＴＲＩＮ）に欠落がある場合、位相比較回路２８は差信号（ＴＲＲＥＦ）の立ち上がり点で和信号（ＴＲＩＮ）を誤ってサンプリングし、本来、カウントアップ信号を活性化すべきところでカウントダウン信号を活性化してしまう。この結果、図１０（Ｆ）に示すように、本来、カウントアップしてＮ＋１に増加するはずの計数値ＴＣが、実際には、図１０（Ｅ）に示すようにカウントダウンされ、ＮからＮ−１に減少する。
【００５６】
このような場合に、ノイズ除去・エッジ検出回路２０のパルス補正タイマ２０２（図６）が、差信号（ＴＲＲＥＦ）によるサンプリングの直後に、図１０（Ｃ）に示すパルス抜け信号を活性化すると、パルス抜け検出回路２４は、図１０（Ｄ）に示す補正パルスを活性化する。
ここで、状態保持回路３０は、直前の計数の状態としてカウントアップを保持しており、カウント補正制御回路２６は、パルス抜け検出回路２４から入力される補正パルスおよび状態保持回路３０が保持する状態に基づいて、トラックカウンタ３２に対して計数値ＴＣに２を加算するカウント補正信号を出力する。トラックカウンタ３２は、このカウント補正信号に従って、図１０（Ｅ）に示すように計数値ＴＣに２を加算して正常な値（Ｎ＋１）とする。
【００５７】
このように、状態保持回路３０がカウントアップの状態を保持し、かつ、パルス抜け検出回路２４の補正パルスが活性化した場合には、カウント補正制御回路２６はトラックカウンタ３２を制御して計数値ＴＣに２を加算させ、状態保持回路３０がカウントダウンの状態ＴＣを保持し、かつ、パルス抜け検出回路２４の補正パルスが活性化した場合には、カウント補正制御回路２６はトラックカウンタ３２を制御して計数値ＴＣから２を減算させ、これらのいずれの場合にも該当しない場合には、トラックカウンタ３２の計数値ＴＣを正しい値としてそのまま出力させる。
【００５８】
トラック計数部２の動作
以下、さらに図１１を参照して、和信号（ＴＲＩＮ）にのみパルスの欠落が生じた場合を例に、トラック計数部２の動作を説明する。
図１１は、図５に示したトラック計数部２の動作を例示する第２のタイミングチャート図であって、（Ａ）は本来の差信号（ＴＲＲＥＦ）を示し、（Ｂ）は本来の和信号（ＴＲＩＮ）を示し、（Ｃ）は実際の差信号（ＴＲＲＥＦ；パルス抜けなし）を示し、（Ｄ）は実際の和信号（ＴＲＩＮ；パルス抜けあり）を示し、（Ｅ）はノイズ除去・エッジ検出回路２２（図５，図６）によるノイズ除去およびパルス補正後の差信号（ＴＲＲＥＦ）を示し、（Ｆ）はノイズ除去・エッジ検出回路２０（図５，図６）によるノイズ除去およびパルス補正後の和信号（ＴＲＩＮ）を示し、（Ｇ）は第１の実施形態に示したトラック計数部８（図３）のアップ／ダウンカウンタ回路８４によるトラック数の計数値ＴＣを示し、（Ｈ）は和信号（ＴＲＩＮ）にパルス抜けがない場合の本来のトラック数の計数値ＴＣを示し、（Ｉ）は状態保持回路３０が保持する状態を示し、（Ｊ）はトラックカウンタ３２の計数値ＴＣを示す。
【００５９】
プリアンプ・マトリクス部１１２（図１）から、本来、図１１（Ａ），（Ｂ）に示す波形であるべき差信号（ＴＲＲＥＦ）および和信号（ＴＲＩＮ）が、例えば図１１（Ｃ），（Ｄ）に示すように、和信号（ＴＲＩＮ）にのみパルス抜けが生じた状態でトラック計数部２（図５）のノイズ除去・エッジ検出回路２０，２２に入力される。
【００６０】
ノイズ除去・エッジ検出回路２０，２２は、クロック信号数周期分の比較的時間幅が短いノイズ、マスクレジスタ２０８（図６）のマスク設定値に対応する比較的時間幅が長いノイズを除去し、さらに、差信号（ＴＲＲＥＦ）および和信号（ＴＲＩＮ）のパルスの欠落を補正して、図１１（Ｅ），（Ｆ）に示す補正後の差信号（ＴＲＲＥＦ）および和信号（ＴＲＩＮ）を位相比較回路２８に対して出力する。
【００６１】
ここで、図１１（Ｄ）に例示するように、和信号（ＴＲＩＮ）の位置ａ〜ｄでパルス抜けが生じると、ノイズ除去・エッジ検出回路２０は、図１１（Ｆ）の補正後の和信号（ＴＲＩＮ）の位置ｅ〜ｈに補正パルスを付加する。
図１１（Ｈ）に示すカウントアップを行うべき範囲内において、位相比較回路２８が差信号（ＴＲＲＥＦ）の立ち上がりエッジで、図１１（Ｆ）の位置ｅの補正パルスの論理値１の部分を正しくサンプリングし、状態保持回路３０に保持されている状態がカウントアップを示している場合には、カウント補正制御回路２６は、トラックカウンタ３２が正しく計数を行っていると判定して補正を行わず、トラックカウンタ３２の計数値そのままをトラック数の計数値ＴＣとして出力させる。
【００６２】
図１１（Ｈ）に示すカウントアップを行うべき範囲内において、位相比較回路２８が差信号（ＴＲＲＥＦ）立ち上がりエッジで、図１１（Ｆ）の位置ｆの補正パルスの前の論理値０の部分を誤ってサンプリングし、状態保持回路３０に保持されている状態がカウントアップを示している場合には、カウント補正制御回路２６は、トラックカウンタ３２が誤って計数を行っていると判断し、トラックカウンタ３２を制御して計数値ＴＣに２を加算させる。この結果、図１１（Ｊ）に示すように、トラックカウンタ３２のトラック数の計数値ＴＣは誤った値６から正しい値８に補正される。
【００６３】
図１１（Ｈ）に示すカウントダウンを行うべき範囲内において、位相比較回路２８が差信号（ＴＲＲＥＦ）の立ち上がりエッジで、図１１（Ｆ）の位置ｇの補正パルスの論理値０の部分を正しくサンプリングし、状態保持回路３０に保持されている状態がカウントダウンを示している場合には、カウント補正制御回路２６は、トラックカウンタ３２が正しく計数を行っていると判定して補正を行わず、トラックカウンタ３２の計数値そのままをトラック数の計数値ＴＣとして出力させる。
【００６４】
図１１（Ｈ）に示すカウントダウンを行うべき範囲内において、位相比較回路２８が差信号（ＴＲＲＥＦ）の立ち上がりエッジで、図１１（Ｆ）の位置ｈの補正パルスの前の論理値１の部分を誤ってサンプリングし、状態保持回路３０に保持されている状態がカウントダウンを示している場合には、カウント補正制御回路２６は、トラックカウンタ３２が誤って計数を行っていると判断し、トラックカウンタ３２を制御して計数値ＴＣから２を減算させる。この結果、図１１（Ｊ）に示すように、トラックカウンタ３２のトラック数の計数値ＴＣは誤った値６から正しい値４に補正される。
ここで、図１１（Ｆ）の位置ｅ，ｆ，ｇ，ｈにおける補正パルス挿入について説明する。この補正パルスは、ノイズ除去・エッジ検出回路２０、２２のパルス補正回路２１２により挿入されるが、その挿入タイミングはコンパレータ２０６のパルス生成信号により決定される。このパルス生成信号のタイミングは、パルス補正レジスタ２０４のパルス補正設定値により決定されることになるので、結果として、補正パルスの挿入タイミングは上記パルス補正設定値によって決定されることとなる。
上述したように、このパルス補正設定値は、光学式ピックアップ１０４がトラクを横切る際の速度に応じて制御回路１１８により随時変更されるので、そのときどきに応じて種々変化することとなる。従って、補正パルスの挿入タイミングは、上記パルス補正設定値に応じて、図１１（Ｆ）に示すように、位置ｅ，ｆ，ｇ，ｈと異なったタイミングの位置となる。故に、補正パルスが挿入されることにより正しいカウント動作がなされる場合と、補正パルスが挿入されても誤ったカウント動作が行われる場合とが混在することとなる。
【００６５】
以下、さらに図１２を参照して、差信号（ＴＲＲＥＦ）にのみパルスの欠落が生じた場合を例に、トラック計数部２の動作を説明する。
図１２は、図５に示したトラック計数部２の動作を例示する第１のタイミングチャート図であって、（Ａ）は本来の差信号（ＴＲＲＥＦ）を示し、（Ｂ）は本来の和信号（ＴＲＩＮ）を示し、（Ｃ）は実際の差信号（ＴＲＲＥＦ；パルス抜けあり）を示し、（Ｄ）は実際の和信号（ＴＲＩＮ；パルス抜けなし）を示し、（Ｅ）はノイズ除去・エッジ検出回路２２（図５，図６）によるノイズ除去およびパルス補正後の差信号（ＴＲＲＥＦ）を示し、（Ｆ）はノイズ除去・エッジ検出回路２０（図５，図６）によるノイズ除去およびパルス補正後の和信号（ＴＲＩＮ）を示し、（Ｇ）は第１の実施形態に示したトラック計数部８（図３）のアップ／ダウンカウンタ回路８４によるトラック数の計数値ＴＣを示し、（Ｈ）は（Ｇ）に示したアップ／ダウンカウンタ回路８４の状態を示し、（Ｉ）は差信号（ＴＲＲＥＦ）にパルス抜けがない場合の本来のトラック数の計数値ＴＣを示し、（Ｊ）は差信号（ＴＲＲＥＦ）にパルス抜けがない場合の本来のカウンタの状態を示し、（Ｋ）は状態保持回路３０が保持する状態を示す。
【００６６】
プリアンプ・マトリクス部１１２（図１）から、本来、図１２（Ａ），（Ｂ）に示す波形であるべき差信号（ＴＲＲＥＦ）および和信号（ＴＲＩＮ）が、例えば図１２（Ｃ），（Ｄ）に示すように、差信号（ＴＲＲＥＦ）にのみパルス抜けが生じた状態でトラック計数部２（図５）のノイズ除去・エッジ検出回路２０，２２に入力される。
【００６７】
ノイズ除去・エッジ検出回路２０，２２は、クロック信号数周期分の比較的時間幅が短いノイズ、マスクレジスタ２０８（図６）のマスク設定値に対応する比較的時間幅が長いノイズを除去し、さらに、差信号（ＴＲＲＥＦ）および和信号（ＴＲＩＮ）のパルスの欠落を補正して、図１２（Ｅ），（Ｆ）に示す補正後の差信号（ＴＲＲＥＦ）および和信号（ＴＲＩＮ）を位相比較回路２８に対して出力する。
【００６８】
ここで、図１２（Ｃ）に例示するように、差信号（ＴＲＲＥＦ）の位置ａ〜ｃでパルス抜けが生じると、ノイズ除去・エッジ検出回路２２は、図１２（Ｅ）の位置ｄ〜ｆに補正パルスを付加する。このような場合、位相比較回路２８は、図１２（Ｊ）に示す光学式ピックアップ１０４が内側に向かって走査し、カウントアップを行うべき範囲内の図１２（Ｅ）の位置ｄの補正パルスの立ち上がりエッジで、和信号（ＴＲＩＮ）の論理値１の部分を正しくサンプリングすることができる。
【００６９】
しかしながら、位相比較回路２８は、図１２（Ｅ）の位置ｅの補正パルスの立ち上がりエッジでは、和信号（ＴＲＩＮ）の論理値１の部分を正しくサンプリングすることができず、また、図１２（Ｊ）に示す光学式ピックアップ１０４が外側に向かって走査を行い、カウントダウンを行うべき範囲内の図１２（Ｅ）の位置ｆの補正パルスの立ち上がりエッジでは、和信号（ＴＲＩＮ）の論理値０の部分を正しくサンプリングすることができない。
【００７０】
このような条件の下で、位相比較回路２８が差信号（ＴＲＲＥＦ）の立ち上がり点で和信号（ＴＲＩＮ）をサンプリングし、カウントアップ信号（ｕｐ）またはカウントダウン信号（ｄｏｗｎ）を活性化すると、トラックカウンタ３２は、図１２（Ｈ）に示すアップ／ダウンカウンタ回路８４と同じ状態で計数を行うことになるので、このまま何らの手当ても施さなければ、トラックカウンタ３２の計数値ＴＣに、図１２（Ｇ）に示すトラック計数部８による計数値ＴＣと同じ誤差が生じる。
【００７１】
一方、状態保持回路３０は、直前の計数時の状態を順次、保持し、その状態は、図１２（Ｋ）に示す通りとなる。
トラックカウンタ３２は、位相比較回路２８から入力されるカウントアップ信号およびカウントダウン信号のいずれが活性化したかに応じてトラック数を計数する。
【００７２】
カウント補正制御回路２６は、パルス抜け検出回路２４から入力される補正パルス、および、状態保持回路３０が保持する状態〔図１２（Ｋ）〕に基づいて、トラックカウンタ３２が正しく計数を行っていないと判定すると、和信号（ＴＲＩＮ）にパルス抜けが生じた場合と同様にトラックカウンタ３２を制御し、トラック数の計数値ＴＣに２を加算または減算させる。このカウント補正制御回路２６による制御の結果、トラックカウンタ３２は、正しいトラック数の計数値ＴＣを制御回路１１８（図１）に対して出力することができる。
【００７３】
以下、さらに図１３を参照して、和信号（ＴＲＩＮ）および差信号（ＴＲＲＥＦ）両方のパルスが欠落した場合のトラック計数部２の動作を説明する。
図１３は、図５に示したトラック計数部２の動作を例示する第２のタイミングチャート図であって、（Ａ）は本来の差信号（ＴＲＲＥＦ）を示し、（Ｂ）は本来の和信号（ＴＲＩＮ）を示し、（Ｃ）は実際の差信号（ＴＲＲＥＦ；パルス抜けあり）を示し、（Ｄ）は実際の和信号（ＴＲＩＮ；パルス抜けあり）を示し、（Ｅ）はノイズ除去・エッジ検出回路２２（図５，図６）によるノイズ除去およびパルス補正後の差信号（ＴＲＲＥＦ）を示し、（Ｆ）はノイズ除去・エッジ検出回路２０（図５，図６）によるノイズ除去およびパルス補正後の和信号（ＴＲＩＮ）を示し、（Ｇ）は第２の実施形態に示したトラック計数部２によるトラック数の計数値ＴＣを示す。
【００７４】
プリアンプ・マトリクス部１１２（図１）から、本来、図１３（Ａ），（Ｂ）に示す波形であるべき差信号（ＴＲＲＥＦ）および和信号（ＴＲＩＮ）がそれぞれ、例えば図１３（Ｃ），（Ｄ）に示すように、差信号（ＴＲＲＥＦ）および和信号（ＴＲＩＮ）の位置ａ〜ｄにパルス抜けが生じた状態でトラック計数部２（図５）のノイズ除去・エッジ検出回路２０，２２に入力される。
【００７５】
ノイズ除去・エッジ検出回路２０，２２は、図１３（Ｅ），（Ｆ）に示すノイズ除去およびパルス補正後の和信号（ＴＲＩＮ）および差信号（ＴＲＲＥＦ）を位相比較回路２８に対して出力し、位相比較回路２８は、差信号（ＴＲＲＥＦ）の立ち上がり点で和信号（ＴＲＩＮ）をサンプリングし、カウントアップ信号（ｕｐ）またはカウントダウン信号（ｄｏｗｎ）を活性化する。
状態保持回路３０は、トラックカウンタ３２が直前の差信号（ＴＲＲＥＦ）の立ち上がり点で行った計数の状態を保持する。
【００７６】
トラックカウンタ３２は、位相比較回路２８から入力される信号に応じてトラック計数値ＴＣを計数（カウント）する。
カウント補正制御回路２６は、図１３（Ｄ）に示した差信号（ＴＲＲＥＦ）の位置ａ，ｂ，ｃのパルス欠落部分については、図１２（Ｃ）に示した差信号（ＴＲＲＥＦ）の位置ａにパルス抜けが生じた場合と同様に、トラックカウンタ３２のトラック数の計数値ＴＣを補正しない。
【００７７】
また、カウント補正制御回路２６は、図１３（Ｄ）に示した和信号（ＴＲＩＮ）の位置ｄのパルス欠落部分については、図１１（Ｄ）に示した和信号（ＴＲＩＮ）の位置ｂにパルス抜けが生じた場合と同様に、トラックカウンタ３２のトラック数の計数値ＴＣを補正する。
【００７８】
また、トラック計数部２の各構成部分は、同等の機能および性能を実現可能である限り、ソフトウェア的に構成されるかハードウェア的に構成されるかを問わない。
また、第２の実施形態においては、制御信号ＴＦＳＬが論理値０の場合について説明したが、制御信号ＴＦＳＬを論理値１とした場合にも、同様に正しく記録媒体１００のトラック数を計数することができる。
また、トラック計数部２は、ディスク再生装置だけでなく、２つの信号の位相差に応じてカウントアップまたはカウントダウンする計数装置として広く応用可能である。
【００７９】
以上説明したように、本発明にかかるトラック計数部２でディスク再生装置１のトラック計数部８を置換することにより、プリアンプ・マトリクス部１１２（図１）が生成した和信号（ＴＲＩＮ）のパルスが欠落した場合であっても、光学式ピックアップ１０４が横切ったトラック数を正しく計数（カウント）することができる。
なお、和信号（ＴＲＩＮ）または差信号（ＴＲＲＥＦ）の欠落と、光学式ピックアップ１０４の走査方向の変換点が偶然に一致した場合には、この限りではなく、トラック数の計数値ＴＣに誤差が生じる場合もあるが、このような確率は非常に低く、トラック計数部２の計数値ＴＣに生じる誤差は、トラック計数部８の計数値ＴＣに生じる誤差に比べて格段に少ない。
【００８０】
【発明の効果】
以上説明したように、本発明にかかる計数装置によれば、ＣＤあるいはＤＶＤ等の光学式ディスク記録媒体に記録されたデータをアクセスする際に光学式ディスク記録媒体を径方向に走査して得られる再生信号に含まれ、走査中に横切ったトラックに対応するパルスを計数するときに、再生信号のパルスが欠落した場合であっても、トラック数の計数値を補正して、ほぼ正しいトラック数の計数値を得ることができる。
また、本発明にかかる計数装置によれば、トラック数の計数値を、欠落した再生信号のパルスに対応する分だけ補正することができ、光学式ディスク記録媒体上の目的のデータに対する迅速なアクセスが可能になる。
【図面の簡単な説明】
【図１】音声・映像用のディスク再生装置の構成を示す図である。
【図２】（Ａ）は差信号（ＴＲＲＥＦ）のパルスを示し、（Ｂ）は和信号（ＴＲＩＮ）のパルスを示す。
【図３】図１に示したトラック計数部の構成を示す図である。
【図４】（Ａ）は位置ｂでパルスが欠落した差信号（ＴＲＲＥＦ）を示し、（Ｂ）は和信号（ＴＲＩＮ）を示し、（Ｃ）は、差信号（ＴＲＲＥＦ）パルス抜け検出信号を示し、（Ｄ）は差信号（ＴＲＲＥＦ）補正パルスを示す。
【図５】本発明にかかるトラック計数部の構成を示す図である。
【図６】図５に示したトラック計数部のノイズ除去・エッジ検出回路の構成を示す図である。
【図７】（Ａ）は制御回路から入力されるクロック信号ＣＬＫを示し、（Ｂ）は比較的短時間幅のノイズが生じている論理値０から論理値１に変化する差信号（ＴＲＲＥＦ）または和信号（ＴＲＩＮ）を示し、（Ｃ）はエッジ検出回路によるノイズ除去後の論理値０から論理値１に変化する差信号または和信号を示し、（Ｄ）はエッジ検出回路が出力する差信号または和信号の立ち上がりエッジ検出パルスを示し、（Ｅ）は比較的短時間幅のノイズが生じている論理値１から論理値０に変化する差信号または和信号を示し、（Ｆ）はエッジ検出回路によるノイズ除去後の論理値１から論理値０に変化する差信号または和信号を示し、（Ｇ）はエッジ検出回路が出力する差信号または和信号の立ち上がりエッジ検出パルスを示す。
【図８】（Ａ）はエッジ検出回路が出力する比較的短時間幅のノイズ除去後の和信号（差信号）を示し、（Ｂ）はパルス補正タイマの計数値とパルス補正レジスタに設定されているパルス補正設定値およびマスクレジスタに設定されているマスク設定値との関係を示す図であり、（Ｃ）はコンパレータが出力するマスク信号を示し、（Ｄ）は（Ｃ）に示したマスク信号により除去される和信号（差信号）のエッジを示し、（Ｅ）はコンパレータが生成するパルス生成信号を示し、（Ｆ）はパルス補正回路が出力する補正後の和信号（差信号）を示す。
【図９】（Ａ）は制御信号ＴＳＦＬが論理値０である場合のサンプリング点を示し、（Ｂ）は制御信号ＴＳＦＬが論理値１である場合のサンプリング点を示し、（Ｃ）は和信号（ＴＲＩＮ）を示す。
【図１０】（Ａ）はトラック計数部に入力される差信号を示し、（Ｂ）はパルス抜けが生じたトラック計数部に入力される和信号を示し、（Ｃ）はノイズ除去・エッジ検出回路２０，２２のパルス補正タイマ２０２が発生するパルス抜け信号を示し、（Ｄ）はパルス抜け検出回路（図６）の補正パルスを示し、（Ｅ）はトラックカウンタの実際の計数値ＴＣを示し、（Ｆ）はパルス抜けが生じなかった場合のトラックカウンタの計数値ＴＣを示す。
【図１１】（Ａ）は本来の差信号（ＴＲＲＥＦ）を示し、（Ｂ）は本来の和信号（ＴＲＩＮ）を示し、（Ｃ）は実際の差信号（ＴＲＲＥＦ；パルス抜けなし）を示し、（Ｄ）は実際の和信号（ＴＲＩＮ；パルス抜けあり）を示し、（Ｅ）はノイズ除去・エッジ検出回路（図５，図６）によるノイズ除去およびパルス補正後の差信号（ＴＲＲＥＦ）を示し、（Ｆ）はノイズ除去・エッジ検出回路（図５，図６）によるノイズ除去およびパルス補正後の和信号（ＴＲＩＮ）を示し、（Ｇ）は第１の実施形態に示したトラック計数部（図３）のアップ／ダウンカウンタ回路によるトラック数の計数値ＴＣを示し、（Ｈ）は和信号（ＴＲＩＮ）にパルス抜けがない場合の本来のトラック数の計数値ＴＣを示し、（Ｉ）は状態保持回路が保持する状態を示し、（Ｊ）はトラックカウンタの計数値ＴＣを示す。
【図１２】（Ａ）は本来の差信号（ＴＲＲＥＦ）を示し、（Ｂ）は本来の和信号（ＴＲＩＮ）を示し、（Ｃ）は実際の差信号（ＴＲＲＥＦ；パルス抜けあり）を示し、（Ｄ）は実際の和信号（ＴＲＩＮ；パルス抜けなし）を示し、（Ｅ）はノイズ除去・エッジ検出回路（図５，図６）によるノイズ除去およびパルス補正後の差信号（ＴＲＲＥＦ）を示し、（Ｆ）はノイズ除去・エッジ検出回路（図５，図６）によるノイズ除去およびパルス補正後の和信号（ＴＲＩＮ）を示し、（Ｇ）は第１の実施形態に示したトラック計数部（図３）のアップ／ダウンカウンタ回路によるトラック数の計数値ＴＣを示し、（Ｈ）は（Ｇ）に示したアップ／ダウンカウンタ回路の状態を示し、（Ｉ）は差信号（ＴＲＲＥＦ）にパルス抜けがない場合の本来のトラック数の計数値ＴＣを示し、（Ｊ）は差信号（ＴＲＲＥＦ）にパルス抜けがない場合の本来のカウンタの状態を示し、（Ｋ）は状態保持回路が保持する状態を示す。
【図１３】（Ａ）は本来の差信号を示し、（Ｂ）は本来の和信号を示し、（Ｃ）は実際の差信号（パルス抜けあり）を示し、（Ｄ）は実際の和信号（パルス抜けあり）を示し、（Ｅ）はノイズ除去・エッジ検出回路（図５，図６）による補正後の差信号を示し、（Ｆ）はノイズ除去・エッジ検出回路による補正後の和信号（ＴＲＩＮ）を示し、（Ｇ）は第２の実施形態に示したトラック計数部によるトラック数の計数値ＴＣを示す。
【符号の説明】
１…ディスク再生装置
１００…記録媒体
１０２…スピンドルモータ
１０４…光学式ピックアップ
１０６…フォーカスサーボ回路
１０８…トラッキングサーボ回路
１１０…回転サーボ回路
１１２…プリアンプ・マトリクス部
１１４…音声再生系
１１６…映像再生系
１１８…制御回路
８…トラック計数部
８０…ノイズ除去回路
８２…パルス抜け検出回路
８４…アップ／ダウンカウンタ回路
２…トラック計数部
２０，２２…ノイズ除去・エッジ検出回路
２６…カウント補正制御回路
２８…位相比較回路
３０…状態保持回路
３２…トラックカウンタ
【図１】
0003701758.tif 000002
【図２】
0003701758.tif 000003
【図３】
0003701758.tif 000004
【図４】
0003701758.tif 000005
【図５】
0003701758.tif 000006
【図６】
0003701758.tif 000007
【図７】
0003701758.tif 000008
【図８】
0003701758.tif 000009
【図９】
0003701758.tif 000010
【図１０】
0003701758.tif 000011
【図１１】
0003701758.tif 000012
【図１２】
0003701758.tif 000013
【図１３】
0003701758.tif 000014